(57)【要約】【課題】新旧機器におけるフォーマットの差異を埋め、データの移し変え作業を容易にすることが可能な通信装置を提供する。【解決手段】ネットワーク１３を通じてパソコン１４と接続された通信装置（ファクシミリ装置）において、機器の登録データをＣＳＶ形式のフォーマットに変換する際には、予め定められた規則に従って変換し、パソコン側へデータを転送する制御を行うシステム制御部４を備えた。【選択図】        図１
2004282180.tif 000002
【特許請求の範囲】
【請求項１】
ネットワークを通じてパソコンと接続された通信装置において、機器の登録データをＣＳＶ形式のフォーマットに変換する際に、予め定められた規則に従って変換し、該変換された登録データをパソコン側へ転送する制御を行うシステム制御手段を備えたことを特徴とする通信装置。
【請求項２】
請求項１記載の通信装置において、前記システム制御手段は、ブラウザを用いて機器の登録データをＣＳＶ形式のフォーマットに変換する際の変換規則を前記機器に設定するように制御することを特徴とする通信装置。
【請求項３】
請求項１記載の通信装置において、前記システム制御手段は、前記ブラウザを用いて複数パターンの変換規則を前記機器に設定するように制御することを特徴とする通信装置。
【請求項４】
請求項１記載の通信装置において、前記システム制御手段は、機器の登録データをＣＳＶ形式のフォーマットに変換する際に、設定されている複数パターンの変換規則の中から予め選択されているパターンに従って変換し、パソコン側へデータを転送するように制御することを特徴とする通信装置。
【請求項５】
請求項１記載の通信装置において、出荷時には旧型の機器または自機のＣＳＶ形式のフォーマットへの変換規則を初期値として登録することを特徴とする通信装置。
【請求項６】
請求項１記載の通信装置において、前記システム制御手段は、ブラウザを用いて設定した機器の登録データをＣＳＶ形式のフォーマットに変換する際の変換規則をリスト化し、自機プロッタを用いて出力、または前記ブラウザを用いてパソコン上に表示するように制御することを特徴とする通信装置。
【発明の詳細な説明】
【０００１】
【発明の属する技術分野】
本発明は、ネットワークファクシミリ装置に代表される通信装置のフォーマット変換方法に関する。
【０００２】
【従来の技術】
近年、ブラウザを用いてパソコン側からファクシミリ装置へデータを登録設定し、また登録情報の参照を行うことができるネットワークファクシミリシステムが登場している。本機能を用いて、ファクシミリ装置に登録されている電話番号等の登録情報を読み出し、取得したデータをＣＳＶ形式のフォーマットにてパソコン側にファイルとして保存することができる。例えば客が複数のファクシミリ装置を購入し、全てのファクシミリ装置に対して同じ設定を行いたい場合に本機能を使用する。
具体的に言うと、ファクシミリ装置より読み出した登録情報をパソコン側にファイルとして保存し、このファイルを他のファクシミリ装置へ転送して同じ登録情報を読み込ませて登録することにより、全てのファクシミリ装置が同じ登録情報を持つことができ、かつ、登録する作業を簡略化することができる。
従来技術としては、例えば特許文献１に示されるように、ｗｗｗブラウザからの要求に対して、ブラウザ表示のためにデータを加工してＨＴＴＰプロトコルを用いてＣＳＶ形式のデータを送る技術が提案されている。
【特許文献１】特開２００２−１１６９４８公報
【０００３】
【発明が解決しようとする課題】
ところで、既に客先に納入されている旧型の機器を新型の機器に置き換える場合、データの移し変えを行うが、両者間で登録データのＣＳＶ形式のフォーマットが異なっている場合は、旧型の機種から取得したデータをそのまま使用することができない。
その場合旧型の機種に登録されているデータを取得した後にパソコン上にてエディタを用いて編集し、新型の機器用のデータとして使用することになるが、その編集作業が煩わしく円滑にデータの移し変え作業ができないという問題点が存在する。
本発明は、この様な状況を考慮し、新旧機器におけるフォーマットの差異を埋め、データの移し変え作業を容易にすることが可能な通信装置を提供することを目的とする。
【０００４】
【課題を解決するための手段】
上記目的を達成するために、請求項１記載の発明は、ネットワークを通じてパソコンと接続された通信装置において、機器の登録データをＣＳＶ形式のフォーマットに変換する際に、予め定められた規則に従って変換し、該変換された登録データをパソコン側へ転送する制御を行うシステム制御手段を備えたことを特徴とする。
請求項２記載の発明は、請求項１記載の通信装置において、前記システム制御手段は、ブラウザを用いて機器の登録データをＣＳＶ形式のフォーマットに変換する際の変換規則を前記機器に設定するように制御することを特徴とする。
請求項３記載の発明は、請求項１記載の通信装置において、前記システム制御手段は、前記ブラウザを用いて複数パターンの変換規則を前記機器に設定するように制御することを特徴とする。
請求項４記載の発明は、請求項１記載の通信装置において、前記システム制御手段は、機器の登録データをＣＳＶ形式のフォーマットに変換する際に、設定されている複数パターンの変換規則の中から予め選択されているパターンに従って変換し、パソコン側へデータを転送するように制御することを特徴とする。
請求項５記載の発明は、請求項１記載の通信装置において、出荷時には旧型の機器または自機のＣＳＶ形式のフォーマットへの変換規則を初期値として登録することを特徴とする。
請求項６記載の発明は、請求項１記載の通信装置において、前記システム制御手段は、ブラウザを用いて設定した機器の登録データをＣＳＶ形式のフォーマットに変換する際の変換規則をリスト化し、自機プロッタを用いて出力、または前記ブラウザを用いてパソコン上に表示するように制御することを特徴とする。
【０００５】
【発明の実施の形態】
以下、本発明の実施の形態を図面に従って説明する。
図１はパソコンとネットワーク接続された本発明の実施の形態に係るファクシミリ装置の機能ブロック図である。
本ファクシミリ装置は、原稿を読み取る読み取り部１、受信した画情報やレポート、マークシート等を記録する記録部２、画情報を符号化・復号化する符号化復号化部３、システム全体の制御を司るシステム制御部４、システム制御部４で使用するワークエリアであるシステムメモリ５、画情報を必要に応じて蓄積保存する画情報メモリ６を備える。
また本ファクシミリ装置は、キー、ＬＥＤ、ＬＣＤ等を設けてユーザの入力操作を許す操作表示部７、伝送制御を司る通信制御部８、回線と通信制御部８の間でアナログ信号の変調／復調を行うモデム９、回線から送られてくるＤＴＭＦ信号を検出するＤＴＭＦ検出器１０、メール送受信を司るメール通信制御部１１、ネットワークと繋げるためのインターフェース（例えば、ＮＩＣ（Ｎｅｔｗｏｒｋ  Ｉｎｔｅｒｆａｃｅ  Ｃａｒｄ）等）１２を備える。本ファクシミリ装置はネットワーク１３を通じてパソコン１４と接続されている。図２は、パソコン上のブラウザとサーバ間における、ＨＴＴＰシーケンスを示したものである。
【０００６】
［第１の実施例の動作説明］
図３、４を用いて説明する。図３は自機内に登録されているデータ（例えばワンタッチダイヤルの情報等）をＣＳＶ形式のデータに変換するまでの大まかなイメージ図である。自機内に登録されているデータを入力として、変換規則（各ｆｉｅｌｄの定義）に従って変換を行いＣＳＶ形式のデータとなる。図４は自機内に登録されているデータをＣＳＶ形式のデータに変換するまでの流れを示す図である。
まず、ユーザがＵＩ画面操作を行うことにより動作が起動され、最初にどのｆｉｅｌｄにどのデータを配置するかを定義してある変換規則データを読み出し（Ｓ１）、変換元である自機内に登録されているデータを読み出し（Ｓ２）、読み出してある変換規則に従って各ｆｉｅｌｄへ読み出したデータをセットし（Ｓ３）、最終ｆｉｅｌｄへデータをセットしたか否かを判断し（Ｓ４）、最終ｆｉｅｌｄへのセットでなければ各ｆｉｅｌｄへのセットを継続し、最終ｆｉｅｌｄへのセットであればそのデータへの処理を終了する。このような処理をすべてのデータに対して行う。
［第２の実施例の動作説明］
図５、６を用いて説明する。図５はブラウザを介して変換規則を機器へ登録する際の画面例を示す図である。例えば、このような画面を介して機器へ変換規則をユーザは容易に登録することができる。パターンやコメントはユーザが任意に入力可能なエディットボックスになっている。また、その他の項目は選択式のドロップダウンリストになっており、表示されている選択肢の中から配置したい項目を選択する。ここで表示される選択項目は、主に自機内に持っているデータ種類となる。図６は上記画面を介して登録されたデータの機器における構成例を示す図である。例えば、機器内には図６に示されるようなＲＡＭデータが構成される。
【０００７】
［第３の実施例の動作説明］
図７を用いて説明する。図７はＣＳＶ形式のファイルを取得する際に操作するブラウザの画面例を示す図であるである。例えば、図７に示されるようなガイダンスに従って操作することにより、ユーザは機器に登録されているデータを希望するＣＳＶ形式のファイルとして得ることができる。
［第４の実施例の動作説明］
図６を用いて説明する。図６は登録されたデータの機器におけるデータ構成例を示す図である。このようなデータ構成にて、過去の機器における複数パターンと自機のパターンを初期値として保持しておくことにより、後のデータ移し変え作業を容易にすることができる。特に、新旧の機器が混在している客先にて、新型の機器にて更新した登録データを旧型の機器へ使用する場合、新たに変換規則を登録せずに容易にデータの移し変えを行うことができる。
［第５の実施例の動作説明］
図８、図９を用いて説明する。図８はブラウザ上における変換規則の登録データ表示例を示す図である。例えば、図８に示されるような画面にて登録された変換規則の内容を確認することができる。また、図９は同様の内容をリスト化し、器のプロッタを用いて出力した例を示す図である。このように、登録内容を視覚化することにより、ユーザは現在の登録状況を後に容易に確認することができ、ユーザの利便性を向上させることができる。
上記ではブラウザを介して変換規則を登録している例を記載しているが、勿論、機器側の操作にて変換規則を登録できるようにしてもよい。
【０００８】
【発明の効果】
請求項１記載の発明においては、機器の登録データをＣＳＶ形式のフォーマットに変換する際には、予め定められた規則に従って変換し、パソコン側へデータを転送するので、新旧機器におけるフォーマットの差異を埋め、データの移し変え作業を容易にすることができる。
請求項２記載の発明においては、ブラウザを用いて機器の登録データをＣＳＶ形式のフォーマットに変換する際の変換規則を機器に設定するので、新旧機器におけるフォーマットの差異を埋め、データの移し変え作業を容易にすることができる。
請求項３記載の発明においては、ブラウザを用いて複数パターンの変換規則を機器に設定するので、新旧機器におけるフォーマットの差異を埋め、データの移し変え作業を容易にすることができる。
請求項４記載の発明においては、機器の登録データをＣＳＶ形式のフォーマットに変換する際には、設定されている複数パターンの変換規則の中から予め選択されているパターンに従って変換し、パソコン側へデータを転送するので、ユーザーは取得したいパターンのＣＳＶ形式のフォーマットでデータを得ることができ、データの移し変え作業を容易にすることができる。
請求項５記載の発明においては、出荷時には旧型の機器や自機のＣＳＶ形式のフォーマットへの変換規則を初期値として登録してあるので、新型の機器にて更新した登録データを旧型の機器へ容易に変換することができ、データの移し変え作業を容易にすることができる。
請求項６記載の発明においては、ブラウザを用いて設定した機器の登録データをＣＳＶ形式のフォーマットに変換する際の変換規則をリスト化し、自機プロッタを用いて出力、またはブラウザを用いてパソコン上に表示するので、ユーザは現在の変換規則を容易に把握することができ、利便性を向上させることができる。
【図面の簡単な説明】
【図１】パソコンとネットワーク接続された本発明の実施の形態に係るファクシミリ装置の機能ブロック図である。
【図２】ＨＴＴＰのシーケンス例を示す図である。
【図３】自機内のデータをＣＳＶ形式にするまでのイメージ図である。
【図４】自機内のデータをＣＳＶ形式にするまでの流れ図である。
【図５】ブラウザからの変換規則登録画面例を示す図である。
【図６】変換規則の内部登録データ例を示す図である。
【図７】ブラウザからＣＳＶファイルを取得する画面例を示す図である。
【図８】変換規則の登録データ表示（ブラウザ上）例を示す図である。
【図９】変換規則の登録データ表示（リスト）例を示す図である。
【符号の説明】
１  読み取り部、２  記録部、３  符号化復号化部、４  システム制御手段
５  システムメモリ、６  画情報メモリ、７  操作表示部、８  通信制御部
９  モデム、１３  ネットワーク、１４  パソコン
【図１】
2004282180.tif 000003
【図２】
2004282180.tif 000004
【図３】
2004282180.tif 000005
【図４】
2004282180.tif 000006
【図５】
2004282180.tif 000007
【図６】
2004282180.tif 000008
【図７】
2004282180.tif 000009
【図８】
2004282180.tif 000010
【図９】
2004282180.tif 000011